(57)【要約】【課題】電源スイッチ構成の簡素化、低コスト化を図ることができる画像形成装置を提供すること。【解決手段】装置本体に立てて配置された電装基板と、前記電装基板上に実装された電源スイッチと、電源スイッチオンオフ機構を有する画像形成装置において、前記電源スイッチオンオフ機構は、前記電源スイッチを動作させるためのスイッチリンクと、ユーザーが操作することで前記スイッチリンクを動作させるためのユーザースイッチと、前記スイッチリンクを上下動可能に保持するスイッチリンクガイドとで構成されており、前記ユーザースイッチが前記スイッチリンクに設けられた斜面を持った長穴を摺動することで前記スイッチリンクが上下に動作し、それにより電源をオンオフする。【選択図】図１
2005037705.tif 000002
【特許請求の範囲】
【請求項１】
装置本体に立てて配置された電装基板と、前記電装基板上に実装された電源スイッチと、電源スイッチオンオフ機構を有する画像形成装置において、
前記電源スイッチオンオフ機構は、前記電源スイッチを動作させるためのスイッチリンクと、ユーザーが操作することで前記スイッチリンクを動作させるためのユーザースイッチと、前記スイッチリンクを上下動可能に保持するスイッチリンクガイドとで構成されており、前記ユーザースイッチが前記スイッチリンクに設けられた斜面を持った長穴を摺動することで前記スイッチリンクが上下に動作し、それにより電源をオンオフすることを特徴とする画像形成装置。
【請求項２】
前記電源スイッチオンオフ機構は、全てモールド部材で構成されていることを特徴とする請求項１記載の画像形成装置。
【請求項３】
前記電源スイッチオンオフ機構は、３部品で構成されていることを特徴とする請求項１又は２記載の画像形成装置。
【発明の詳細な説明】
【技術分野】
【０００１】
本発明は、プリンタ、ファクシミリ、複写機、マルチファンクションプリンタ等の画像形成装置に関するものである。
【背景技術】
【０００２】
従来、電装基板を画像形成装置下側に水平に配置した状態で基板の端部に電源スイッチを実装し、金属製のロッドでユーザースイッチと連結することでオンオフ動作をしている場合が多かった。この構成は電源スイッチとユーザースイッチは同じ方向に動作する構成になっている。
【０００３】
又、特許文献１のように、画像形成装置内に立てて配置している電装基板上に実装されている電源スイッチをプッシュ式のボタンでオンオフ動作をさせるように構成されている。
【特許文献１】特開２０００−１１２１９８号
【発明の開示】
【発明が解決しようとする課題】
【０００４】
電源基板上の電気部品は発熱により温度上昇を起こす。スペースを優先して部品を密に配置すると、その傾向が強いため、電気部品は許容温度を超えないように、適当に間隔を空けて配置しなければならない。電装基板を画像形成装置内に立てて配置したことによって、電気部品の発熱による暖かい空気が上方に抜け易く温度上昇に有利である。
【０００５】
又、前記特許文献１に記載された構成では、プッシュ動作で電源スイッチのオンオフを行っており、ボタン、バネ、スライドロッド、回動アーム、支点ピンのように構成部品が多く、コスト高となってしまう。又、回動支点が電装プレートに必要なため、電源スイッチの実装位置を電装基板中央寄りに配置すると、回動アームが大きくなってしまいコストアップの要因になり得る。
本発明は、画像形成装置内に立てて配置した電装基板上に実装された電源スイッチを上下方向に動作させるのに、ユーザーは左右方向の動作でオンオフさせること、電装基板上の電源スイッチの実装自由度を大きくすること、ユーザースイッチ、スイッチリンク、スイッチリンクガイドの３点だけで構成することで、電源スイッチ構成の簡素化、低コスト化を図ることを目的としている。
【課題を解決するための手段】
【０００６】
上記目的を達成するため、請求項１記載の発明は、装置本体に立てて配置された電装基板と、前記電装基板上に実装された電源スイッチと、電源スイッチオンオフ機構を有する画像形成装置において、前記電源スイッチオンオフ機構は、前記電源スイッチを動作させるためのスイッチリンクと、ユーザーが操作することで前記スイッチリンクを動作させるためのユーザースイッチと、前記スイッチリンクを上下動可能に保持するスイッチリンクガイドとで構成されており、前記ユーザースイッチが前記スイッチリンクに設けられた斜面を持った長穴を摺動することで前記スイッチリンクが上下に動作し、それにより電源をオンオフすることを特徴とする。
【０００７】
従って、請求項１記載発明によれば、電源スイッチが電装基板上にどこに実装されても、スイッチリンクのアーム部の形状を変更するだけで電源スイッチのオンオフ機構が可能であるため、電源スイッチの実装位置の自由度は大きく、又、電源スイッチの実装位置によって、電源スイッチオンオフ構成が複雑化したり、コストアップすることはない。
【０００８】
請求項２記載の発明は、請求項１記載の発明において、前記電源スイッチオンオフ機構は、全てモールド部材で構成されていることを特徴とする。
【０００９】
従って、請求項２記載の発明によれば、電装基板上の実装部品に拘らず電源スイッチの実装が可能であるため、電源スイッチの実装自由度が大きくなる。
【００１０】
請求項３記載の発明は、請求項１又は２記載の発明において、前記電源スイッチオンオフ機構は、３部品で構成されていることを特徴とする。
【００１１】
従って、請求項３記載の発明によれば、部品点数が少ないため、低コスト化、電源スイッチオンオフ構成の簡素化が可能である。
【発明の効果】
【００１２】
本発明によれば、電源スイッチ実装位置の自由度が高く、部品点数が少なく、簡素な電源スイッチオンオフ機構が実現可能になった
【発明を実施するための最良の形態】
【００１３】
以下に本発明の実施の形態を添付図面に基づいて説明する。
【００１４】
図１及び図２は本発明を適用した画像形成装置の構成説明図であり、図１は電装基板１の実装面側、図２は図１の裏側である。図３はスイッチオンオフ機構のみの構成図、図４は長穴１３の詳細図である。
画像形成装置内に立てて配置された電装基板１が電装プレート２にビス数本で固定されている。この電装プレート２は、側板１５と底板３にビス数箇所で固定されている。電源スイッチ４は、電装基板１上のＡＣインレット５を固定している板金１１に嵌め込まれ、その板金１１は電装プレート２にビスで固定されている。
【００１５】
又、電源スイッチ４は上下方向の動作によりＯＮ／ＯＦＦが可能となるよう電装基板１に実装している。電源スイッチ４の下部には、ＡＣインレット５、束線コネクタ６、ヒートシンク７が電装基板１上に実装されている。電源スイッチ４を上下運動させるために、モールド部材であるスイッチリンク８が電源スイッチ４に組み付いている。
【００１６】
電源スイッチ４の操作レバー部４ａにはリブが存在しており、スイッチリンク８でそのリブを覆い囲い、スイッチリンク８が操作レバー部４ａから外れないように保持している。又、このスイッチリンク８は、上述のＡＣインレット５、束線コネクタ６、ヒートシンク７を避けて配置している。スイッチリンクガイド９は、スイッチリンク８の上下運動を円滑に行うために設けてあるモールド部材である。このスイッチリンクガイド９は、底板３で位置を決め、ビスで底板３に固定されており、スイッチリンク８に束線が干渉しないよう、束線のガイドも兼ねた部材になっている。
【００１７】
ユーザースイッチ１０は、ユーザーが直接触れるスイッチであるため、画像形成装置の外装面となっている。又、ユーザースイッチ１０は、ハンドル１２に取り付けられており、その取り付け部ａを支点にして回転運動を行っている。ユーザーが触れる部分は、電装基板１、電装プレート２の裏側（図２側）になっているため、電装基板１、電装プレート２の下側をくぐり、スイッチリンク８と嵌合している。ユーザースイッチ１０には、支点ａを中心としてユーザーが触れる部位と反対側に十字リブ１４を設けており、その十字リブ１４がスイッチリンク８の斜面を持った長穴１３を左右にスライドすることで、ユーザースイッチ１０の左右方向の回転運動からスイッチリンク８の上下方向の運動に変えている。
上記構成において、電源ＯＮ／ＯＦＦの動作の詳細を図５及び図６に基づいて説明する。
【００１８】
図５は電源スイッチのオフ動作時の詳細図、図６は電源スイッチのオン動作時の詳細図である。ユーザーがユーザースイッチ１０を回転させると、支点ａを中心に十字リブ１４が水平に回転する。回転する際、十字リブ１４の下側のリブ１４ａが斜面を持った長穴１３の斜面部の下面を摺動することで、スイッチリンク８が下方向に動作する。これにより電源スイッチ４も下方向に動くため、画像形成装置の電源がＯＮする。
【００１９】
電源ＯＦＦ時は、ユーザーはユーザースイッチ１０を電源ＯＮ時と反対方向に回転させる。ユーザースイッチ１０の十字リブ１４の上側のリブ１４ｂが斜面を持った長穴１３の斜面部の上面を摺動することで、スイッチリンク８は上方向に移動する。これにより、電源スイッチ４も上方向に動くため、画像形成装置の電源はＯＦＦする。
以下に本実施の形態の効果について説明する。
【００２０】
本実施の形態では、画像形成装置内に立てて配置した電装基板１上に実装された電源スイッチ４を上下方向に動作させるのに、ユーザーは左右方向の回転動作でオンオフが可能であり、電装基板１上に実装している電源スイッチ４の実装自由度が大きい。又、スイッチリンク８はモールド部材であるため、電装基板１上の実装部品に関係なく配置でき、更に電源スイッチ４の実装自由度が大きくなる。又、ユーザースイッチ１０、スイッチリンク８、スイッチリンクガイド９の３点だけで構成されているため、低コスト化、電源スイッチオンオフ機構の簡素化が可能である。
【産業上の利用可能性】
【００２１】
本発明は、プリンタ、ファクシミリ、複写機、マルチファンクションプリンタ等の任意の画像形成装置に対して適用可能である。
【図面の簡単な説明】
【００２２】
【図１】本発明に係る画像形成装置の構成説明図（表側）である。
【図２】本発明に係る画像形成装置の構成説明図（裏側）である。
【図３】本発明に係る画像形成装置の電源スイッチオンオフ構成の詳細図である。
【図４】本発明に係る画像形成装置の長穴の形状詳細図である。
【図５】本発明に係る画像形成装置の電源スイッチオフ動作の詳細図である。
【図６】本発明に係る画像形成装置の電源スイッチオン動作の詳細図である。
【符号の説明】
【００２３】
１    電装基板
２    電装プレート
３    底板
４    電源スイッチ
４ａ  操作レバー部
５    ＡＣインレット
６    束線コネクタ
７    ヒートシンク
８    スイッチリンク
９    スイッチリンクガイド
１０  ユーザースイッチ
１１  板金
１２  ハンドル
１３  長穴
１４  十字リブ
１５  側板
【図１】
2005037705.tif 000003
【図２】
2005037705.tif 000004
【図３】
2005037705.tif 000005
【図４】
2005037705.tif 000006
【図５】
2005037705.tif 000007
【図６】
2005037705.tif 000008